【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータと前記ビデオデータを復号するためのシンタックス情報とを含むビットストリームを復号することと、ここにおいて前記シンタックス情報はアクセスユニットのアクティブパラメータセット補足エンハンスメント情報（ＳＥＩ）メッセージを備え、ここにおいて前記アクティブパラメータセットＳＥＩメッセージは前記アクセスユニットのビデオデータを復号するための複数のシーケンスパラメータセット（ＳＰＳ）とビデオパラメータセット（ＶＰＳ）とを示し、ここにおいて前記アクティブパラメータセットＳＥＩメッセージは、前記複数のＳＰＳの数を指定する第１のシンタックス要素と、前記複数のＳＰＳの各々についての複数の該当識別子を備える１つまたは複数の追加シンタックス要素とを含む、
前記アクティブパラメータセットＳＥＩメッセージにおける前記複数のＳＰＳおよび前記ＶＰＳの指示に基づいて、前記複数のＳＰＳと前記ＶＰＳとをアクティブ化することと、
前記アクティブパラメータセットＳＥＩメッセージで示される前記複数のアクティブ化されたＳＰＳおよび前記アクティブ化されたＶＰＳに基づいて、前記アクセスユニットの前記ビデオデータを復号することと
を備える方法。
【請求項２】
前記ビデオデータは、複数のレイヤまたは複数のビューのうちの少なくとも１つを備え、
前記複数のＳＰＳの各々は、前記複数のレイヤまたは複数のビューのうちの該当の１つまたは複数に関連付けられ、
前記複数のＳＰＳおよび前記ＶＰＳに基づいて、前記アクセスユニットの前記ビデオデータを復号することは、前記レイヤまたはビューの各々に関して、前記レイヤまたはビューに関連する前記ＳＰＳに基づいて、前記レイヤまたはビューの前記ビデオデータを復号することを備え、
前記複数のレイヤまたはビューにそれぞれ関連付けられる識別子を判断することと、ここにおいて前記識別子を判断することは、
前記識別子のうちの少なくとも１つを復号すること、または
前記該当のレイヤまたはビューの階層位置に基づいて、前記識別子のうちの少なくとも１つを導出すること
のうちの少なくとも１つを備える、
前記ＳＥＩメッセージにおける前記指示および前記判断された識別子に基づいて、前記複数のレイヤまたはビューの前記ビデオデータをそれぞれ復号するための前記複数のＳＰＳを判断することと
をさらに備える、請求項１に記載の方法。
【請求項３】
ビデオデータを符号化および復号する方法であって、
ビデオデータと前記ビデオデータを符号化するためのシンタックス情報とを含むビットストリームを符号化することと、ここにおいて前記シンタックス情報はアクセスユニットのアクティブパラメータセット補足エンハンスメント情報（ＳＥＩ）メッセージを備え、ここにおいて前記アクティブパラメータセットＳＥＩメッセージは前記アクセスユニットのビデオデータを復号するための複数のシーケンスパラメータセット（ＳＰＳ）とビデオパラメータセット（ＶＰＳ）とを示し、ここにおいて前記アクティブパラメータセットＳＥＩメッセージは、前記複数のＳＰＳの数を指定する第１のシンタックス要素と、前記複数のＳＰＳの各々についての複数の該当識別子を備える１つまたは複数の追加シンタックス要素とを含む、
前記アクティブパラメータセットＳＥＩメッセージで示される前記複数のＳＰＳおよび前記ＶＰＳに基づいて、前記アクセスユニットの前記ビデオデータを符号化することと、
前記ビットストリームを復号することと、
前記アクティブパラメータセットＳＥＩメッセージにおける前記複数のＳＰＳおよび前記ＶＰＳの指示に基づいて、前記複数のＳＰＳと前記ＶＰＳとをアクティブ化することと、
前記アクティブパラメータセットＳＥＩメッセージで示される前記複数のアクティブ化されたＳＰＳおよび前記アクティブ化されたＶＰＳに基づいて、前記アクセスユニットの前記ビデオデータを復号することと
を備える、方法。
【請求項４】
前記アクティブパラメータセットＳＥＩメッセージは、コーディング順序で前記アクセスユニットの前記ビデオデータの第１の部分に先行する、請求項１に記載の方法。
【請求項５】
前記第１のシンタックス要素は、ｎｕｍ＿ｓｐｓ＿ｉｄｓ＿ｍｉｎｕｓ１シンタックス要素を備え、前記１つまたは複数の追加シンタックス要素は、ｉ＝０；ｉ≦ｎｕｍ＿ａｄｄｉｔｉｏｎａｌ＿ｓｐｓ＿ｉｄｓ＿ｍｉｎｕｓ１；ｉ＋＋の場合のａｃｔｉｖｅ＿ｓｐｓ＿ｉｄ［ｉ］シンタックス要素を備える、請求項１に記載の方法。
【請求項６】
前記ビデオデータは、複数のレイヤまたは複数のビューのうちの少なくとも１つを備え、
前記複数のＳＰＳの各々は、前記複数のレイヤまたは複数のビューのうちの該当の１つまたは複数に関連付けられ、
前記複数のＳＰＳおよび前記ＶＰＳに基づいて、前記アクセスユニットの前記ビデオデータをコーディングすることは、前記レイヤまたはビューの各々に関して、前記レイヤまたはビューに関連する前記ＳＰＳに基づいて、前記レイヤまたはビューの前記ビデオデータをコーディングすることを備える、請求項１または３に記載の方法。
【請求項７】
前記複数のＳＰＳの各々は、前記複数のレイヤのうちの該当の１つまたは複数に関連付けられ、前記複数のＳＰＳのうちの少なくとも１つは、アクティブレイヤＳＰＳを備える、請求項６に記載の方法。
【請求項８】
前記ビデオデータは、マルチビュービデオデータ、３次元ビデオデータ、またはスケーラブルビデオコーディングビデオデータのうちの少なくとも１つを備える、請求項６に記載の方法。
【請求項９】
ビデオデータと前記ビデオデータをコーディングするためのシンタックス情報とを含むビットストリームを復号するための手段と、ここにおいて前記シンタックス情報はアクセスユニットのアクティブパラメータセット補足エンハンスメント情報（ＳＥＩ）メッセージを備え、ここにおいて前記アクティブパラメータセットＳＥＩメッセージは前記アクセスユニットのビデオデータをコーディングするための複数のシーケンスパラメータセット（ＳＰＳ）とビデオパラメータセット（ＶＰＳ）とを示し、ここにおいて前記アクティブパラメータセットＳＥＩメッセージは、前記複数のＳＰＳの数を指定する第１のシンタックス要素と、前記複数のＳＰＳの各々についての複数の該当識別子を備える１つまたは複数の追加シンタックス要素とを含む、
前記アクティブパラメータセットＳＥＩメッセージにおける前記複数のＳＰＳおよび前記ＶＰＳの指示に基づいて、前記複数のＳＰＳと前記ＶＰＳとをアクティブ化する手段と、
前記アクティブパラメータセットＳＥＩメッセージで示される前記複数のアクティブ化されたＳＰＳおよび前記アクティブ化されたＶＰＳに基づいて、前記アクセスユニットの前記ビデオデータを復号するための手段と
を備えるデバイス。
【請求項１０】
前記ビデオデータは、複数のレイヤまたは複数のビューのうちの少なくとも１つを備え、
前記複数のＳＰＳの各々は、前記複数のレイヤまたは複数のビューのうちの該当の１つまたは複数に関連付けられ、
前記複数のＳＰＳおよび前記ＶＰＳに基づいて、前記アクセスユニットの前記ビデオデータを復号するための前記手段は、前記レイヤまたはビューの各々に関して、前記レイヤまたはビューに関連する前記ＳＰＳに基づいて、前記レイヤまたはビューの前記ビデオデータを復号するための手段を備える、請求項９に記載のデバイス。
【請求項１１】
前記ビデオデータは、マルチビュービデオデータ、３次元ビデオデータ、またはスケーラブルビデオコーディングビデオデータのうちの少なくとも１つを備える、請求項９に記載のデバイス。
【請求項１２】
前記ビットストリームを復号し、
前記アクティブパラメータセットＳＥＩメッセージにおける前記複数のＳＰＳおよび前記ＶＰＳの指示に基づいて、前記複数のＳＰＳと前記ＶＰＳとをアクティブ化し、
前記アクティブパラメータセットＳＥＩメッセージで示される前記複数のアクティブ化されたＳＰＳおよび前記アクティブ化されたＶＰＳに基づいて、前記アクセスユニットの前記ビデオデータを復号する
ように構成されるビデオデコーダを備える、請求項９乃至１１のうちのいずれか１項に記載のデバイス。
【請求項１３】
前記ビットストリームを符号化し、
前記アクティブパラメータセットＳＥＩメッセージで示される前記複数のＳＰＳおよび前記ＶＰＳに基づいて、前記アクセスユニットの前記ビデオデータを符号化する
ように構成されるビデオエンコーダをさらに備える、請求項９乃至１１のうちのいずれか１項に記載のデバイスを備えるビデオ符号化および復号システム。
【請求項１４】
前記デバイスは、
ビデオデコーダおよび／またはビデオエンコーダを実装する集積回路、
前記ビデオデコーダおよび／または前記ビデオエンコーダを実装するマイクロプロセッサ、および
前記ビデオデコーダおよび／または前記ビデオエンコーダを含むワイヤレス通信デバイス
のうちの少なくとも１つを備える、請求項１２に記載のデバイスまたは請求項１３に記載のシステム。
【請求項１５】
命令を記憶したコンピュータ可読記憶媒体であって、前記命令は、ビデオコーダの１つまたは複数のプロセッサによって実行されたときに、前記ビデオコーダに、請求項１乃至８のうちのいずれか１項に記載の方法を行わせる、コンピュータ可読記憶媒体。